(57)【特許請求の範囲】
【請求項１】
放射線撮影のための所定の操作指示を受け付け、該受け付けた操作指示に応じて放射線撮影のための制御信号を出力する制御部と、放射線検査情報を表示する表示部とを備えた放射線撮影制御装置であって、移動可能に構成された放射線撮影制御装置の動作制御方法であって、
前記放射線撮影制御装置が、該装置の設置位置を特定可能な設置位置情報を取得し、
該取得した設置位置情報によって特定される設置位置が、予め設定された設置位置以外の位置である場合には、前記表示部において表示される放射線検査情報の一部の表示を制限することを特徴とする放射線撮影制御装置の動作制御方法。
【請求項２】
放射線撮影のための所定の操作指示を受け付け、該受け付けた操作指示に応じて放射線撮影のための制御信号を出力する制御部と、放射線検査情報を表示する表示部とを備えた放射線撮影制御装置であって、移動可能に構成された放射線撮影制御装置において、
該装置の設置位置を特定可能な設置位置情報を取得する設置位置情報取得部と、
該設置位置情報取得部によって取得された設置位置情報によって特定される設置位置が、予め設定された設置位置以外の位置である場合には、前記表示部において表示される放射線検査情報の一部の表示を制限する機能制限部とを備えたことを特徴とする放射線撮影制御装置。
【請求項３】
前記設置位置情報取得部が、予め設定されたアクセスポイントと無線通信を行うものであり、該無線通信の通信状態を前記設置位置情報として取得するものであることを特徴とする請求項２記載の放射線撮影制御装置。
【請求項４】
前記設置位置情報取得部が、前記制御部から出力された制御信号を受信するとともに放射線画像を検出する放射線画像検出装置の種類情報を前記設置位置情報として取得するものであることを特徴とする請求項２記載の放射線撮影制御装置。
【請求項５】
前記設置位置情報取得部が、前記制御部から出力された制御信号を受信するとともに放射線画像を検出する放射線画像検出装置の数の情報を前記設置位置情報として取得するものであることを特徴とする請求項２記載の放射線撮影制御装置。
【請求項６】
前記装置の設置位置を検出する位置検出部を備え、
前記設置位置情報取得部が、前記位置検出部によって検出された設置位置を設置位置情報として取得するものであることを特徴とする請求項２記載の放射線撮影制御装置。
【請求項７】
前記装置の移動距離を示す情報を取得する移動距離情報取得部を備え、
前記位置検出部が、前記移動距離が所定値以上になったときに前記設置位置の検出を行うものであることを特徴とする請求項６記載の放射線撮影制御装置。
【請求項８】
前記機能制限部が、前記表示部において表示される放射線検査情報のうちの個人情報に関連する情報の表示を制限するものであることを特徴とする請求項２から７いずれか1項記載の放射線撮影制御装置。
【請求項９】
前記機能制限部が、前記表示部において表示される放射線検査情報のうちの放射線画像の表示を制限するものであることを特徴とする請求項２から８いずれか１項記載の放射線撮影制御装置。
【請求項１０】
前記機能制限部が、前記表示部において表示される放射線検査情報のうちの読影用の放射線画像の表示を制限するものであることを特徴とする請求項９記載の放射線撮影制御装置。
【請求項１１】
前記機能制限部が、前記表示部において表示される放射線検査情報のうちの過去の放射線画像の表示を制限するものであることを特徴とする請求項９記載の放射線撮影制御装置。
【請求項１２】
前記機能制限部が、前記表示部において表示される放射線検査情報のうちの最も直近に撮影された放射線画像以外の放射線画像の表示を制限するものであることを特徴とする請求項９記載の放射線撮影制御装置。
【請求項１３】
請求項２から１２いずれか１項記載の放射線撮影制御装置と、該放射線撮影制御装置から出力された制御信号に基づいて放射線を射出する放射線源と、該放射線源から射出され被写体を透過した放射線の照射を受けて放射線画像を検出する放射線画像検出器とを備えた放射線撮影システムであって、移動可能に構成されたことを特徴とする放射線画像撮影システム。
【発明の詳細な説明】
【技術分野】
【０００１】
本発明は、放射線撮影のための所定の操作指示を受け付け、その操作指示に応じて放射線撮影のための制御信号を出力するとともに、放射線検査情報を表示する放射線撮影制御装置およびその動作制御方法に関するものである。
【背景技術】
【０００２】
近年、放射線撮像装置の電子化および小型化が進んでおり、半導体からなる放射線画像検出器と、放射線画像検出器によって撮像した放射線画像を表示するモニタが設けられたコンソールとを備えた回診車が提案されている（たとえば、特許文献１、特許文献２参照）。この回診車によれば、病室などで撮影した放射線画像をその場でモニタに表示させて確認することができる。
【０００３】
そして、コンソールは、撮影画像を表示する以外にも患者の個人データの管理・登録や、過去の放射線画像の閲覧や、撮影画像の拡大表示などの機能を備えている。
【０００４】
しかしながら、回診撮影の現場においては、コンソールのモニタが不特定多数の人の目に触れる環境にあり、モニタに表示される放射線検査情報の中には患者の個人情報も含まれているため、このような個人情報の取り扱いには十分配慮する必要がある。
【０００５】
また、撮影技師が一人で回診にあたる場合などには、撮影技師は患者のポジショニングに全神経を注いでおり、コンソールのモニタの表示情報のセキュリティまでには気が回らず、意図せずして関係のない者に覗き見されたり、また、悪意を持って書き換えられたりするおそれがある。
【０００６】
そこで、たとえば、特許文献３においては、個人情報漏洩の防止のために、個人情報の表示と非表示とを操作者の操作によって切替可能な移動式放射線撮影装置が提案されている。
【先行技術文献】
【特許文献】
【０００７】
【特許文献１】特開２００３−３３４１８５号公報
【特許文献２】特開２０１０−１１９４８５号公報
【特許文献３】特開２００６−４３２７３号公報
【発明の概要】
【発明が解決しようとする課題】
【０００８】
しかしながら、特許文献３に記載の装置においては、操作者がわざわざ表示内容を切り替える必要があり、この切替えを忘れてしまうとやはり個人情報が漏洩してしまうことになる。
【０００９】
また、上述したような回診車は、回診現場のみならず、放射線撮影室でも使用されることもあり、このような場では、関係者以外は存在しないため表示内容を特に制限する必要はなく、再び操作者が表示を切り替える必要がある。
【００１０】
本発明は、上記の事情に鑑み、操作者の手間をかけることなく、回診現場などにおいては個人情報の表示などに制限を設けることができるとともに、予め設定された放射線撮影室などにおいては必要な検査情報を制限することなく表示することができる放射線撮影制御装置およびその動作制御方法を提供することを目的とする。
【課題を解決するための手段】
【００１１】
本発明の放射線撮影制御装置の動作制御方法は、放射線撮影のための所定の操作指示を受け付け、該受け付けた操作指示に応じて放射線撮影のための制御信号を出力する制御部と、放射線検査情報を表示する表示部とを備えた放射線撮影制御装置であって、移動可能に構成された放射線撮影制御装置の動作制御方法であって、放射線撮影制御装置が、該装置の設置位置を特定可能な設置位置情報を取得し、その取得した設置位置情報によって特定される設置位置が、予め設定された設置位置以外の位置である場合には、放射線撮影制御装置の一部の機能を制限することを特徴とする。
【００１２】
本発明の放射線撮影制御装置は、放射線撮影のための所定の操作指示を受け付け、該受け付けた操作指示に応じて放射線撮影のための制御信号を出力する制御部と、放射線検査情報を表示する表示部とを備えた放射線撮影制御装置であって、移動可能に構成された放射線撮影制御装置において、該装置の設置位置を特定可能な設置位置情報を取得する設置位置情報取得部と、設置位置情報取得部によって取得された設置位置情報によって特定される設置位置が、予め設定された設置位置以外の位置である場合には、一部の機能を制限する機能制限部とを備えたことを特徴とする。
【００１３】
また、本発明の放射線撮影制御装置においては、設置位置情報取得部を、予め設定されたアクセスポイントと無線通信を行うものとし、該無線通信の通信状態を設置位置情報として取得するものとできる。
【００１４】
また、設置位置情報取得部を、制御部から出力された制御信号を受信するとともに放射線画像を検出する放射線画像検出装置の種類情報を設置位置情報として取得するものとできる。
【００１５】
また、設置位置情報取得部を、制御部から出力された制御信号を受信するとともに放射線画像を検出する放射線画像検出装置の数の情報を設置位置情報として取得するものとできる。
【００１６】
また、装置の設置位置を検出する位置検出部を設け、設置位置情報取得部を、位置検出部によって検出された設置位置を設置位置情報として取得するものとできる。
【００１７】
また、装置の移動距離を示す情報を取得する移動距離情報取得部を設け、位置検出部を、上記移動距離が所定値以上になったときに設置位置の検出を行うものとできる。
【００１８】
また、機能制限部を、表示部において表示される放射線検査情報の一部の表示を制限するものとできる。
【００１９】
また、機能制限部を、表示部において表示される放射線検査情報のうちの個人情報に関連する情報の表示を制限するものとできる。
【００２０】
また、機能制限部を、表示部において表示される放射線検査情報のうちの放射線画像の表示を制限するものとできる。
【００２１】
また、機能制限部を、表示部において表示される放射線検査情報のうちの読影用の放射線画像の表示を制限するものとできる。
【００２２】
また、機能制限部を、表示部において表示される放射線検査情報のうちの過去の放射線画像の表示を制限するものとできる。
【００２３】
また、機能制限部を、表示部において表示される放射線検査情報のうちの最も直近に撮影された放射線画像以外の放射線画像の表示を制限するものとできる。
【００２４】
本発明の放射線画像撮影システムは、上記放射線撮影制御装置と、該放射線撮影制御装置から出力された制御信号に基づいて放射線を射出する放射線源と、該放射線源から射出され被写体を透過した放射線の照射を受けて放射線画像を検出する放射線画像検出器とを備えた放射線撮影システムであって、移動可能に構成されたことを特徴とする。
【発明の効果】
【００２５】
本発明の放射線撮影制御装置によれば、装置の設置位置を特定可能な設置位置情報を取得し、その取得した設置位置情報によって特定される設置位置が、予め設定された設置位置以外の位置である場合には、放射線撮影制御装置の一部の機能を制限するようにしたので、たとえば、放射線撮影室以外の病室などの回診撮影の現場に装置が設置された場合、操作者の表示切替作業などの手間を煩わせることなく、自動的に患者の個人情報の表示などの機能を制限することができ、患者の個人情報が漏洩してしまうのを防止することができる。
【００２６】
また、装置が、放射線撮影室などの予め設定された設置位置に戻された場合には、操作者の表示切替作業などの手間を煩わせることなく、自動的に機能制限を解除することができ、操作者に必要な検査情報を全て提供することができる。
【図面の簡単な説明】
【００２７】
【図１】本発明の放射線撮影制御装置の一実施形態を用いた放射線画像撮影システムが病室内に設置された状態を示す図
【図２】図１に示す放射線検出カセッテの内部構成図
【図３】放射線画像撮影システムの概略構成を示すブロック図
【図４】本発明の放射線撮影制御装置の一実施形態を用いた放射線画像撮影システムの作用を説明するためのフローチャート
【図５】コンソールの設置位置の判定方法の一例を説明するためのフローチャート
【図６】全ての放射線検査情報が表示された状態を示す図
【図７】患者の個人情報が表示制限された状態を示す図
【図８】患者の個人情報が表示制限された状態のその他の例を示す図
【図９】放射線撮影室におけるコンソールと放射線検出カセッテの数の関係を説明するための図
【図１０】本発明の放射線撮影制御装置のその他の実施形態を用いた放射線画像撮影システムの概略構成を示すブロック図
【発明を実施するための形態】
【００２８】
以下、図面を参照して本発明の放射線撮影制御装置の一実施形態を用いた放射線撮影システムについて説明する。図１は、本実施形態の放射線画像撮影システムが設置された病室の様子を示したものである。
【００２９】
本実施形態の放射線画像撮影システムは、放射線撮影のための所定の操作指示を受け付けて放射線撮影のための制御信号を出力するコンソール１０と、そのコンソール１０に設けられた放射線源３０と、放射線源３０から射出され、患者５１を透過した放射線を検出し、患者５１の放射線画像を検出する放射線画像検出器を内蔵した放射線検出カセッテ２０とを備えている。コンソール１０と放射線検出カセッテ２０との間では、無線通信により信号の送受信が行なわれる。
【００３０】
放射線源３０は、コンソール１０に対して支柱１０ｂおよびアーム部１０ｃを介して設置されている。アーム部１０ｃは、支柱１０ｂに対して上下方向に移動可能に設けられるとともに、伸縮するよう構成されたものである。これにより患者５１の撮影部位に応じた所望の位置に放射線源３０を移動させることができる。
【００３１】
コンソール１０の装置本体１０ａには、放射線検査情報を表示する表示部１６と、患者情報や撮影条件を含む撮影オーダー情報の入力を受け付ける入力部１７とが設けられており、装置本体１０ａの下部には装置本体１０ａを移動可能に支持する４つの台車１０ｄが設けられている。
【００３２】
図２は、放射線検出カセッテ２０の内部構成図である。放射線検出カセッテ２０は、放射線Ｘを透過させる材料からなるケーシング３４を備えている。ケーシング３４の内部には、患者５１による放射線Ｘの散乱線を除去するグリッド３８と、患者５１を透過した放射線Ｘを検出し、患者５１の放射線画像を検出する放射線画像検出器２１と、および放射線Ｘのバック散乱を吸収する鉛板４２とが、放射線Ｘが照射されるケーシング３４の照射面３６側から順に配設されている。
【００３３】
また、ケーシング３４の内部には、放射線検出カセッテ２０の電源であるバッテリ４４と、バッテリ４４から供給される電力により放射線画像検出器２１を駆動制御するカセッテ制御部４６と、放射線画像検出器２１から読み取られた放射線画像信号などをコンソール１０に無線通信信号として送信するとともに、コンソール１０から出力された制御信号などを受信するカセッテ送受信機４８とが収容されている。
【００３４】
なお、カセッテ制御部４６およびカセッテ送受信機４８には、放射線Ｘが照射されることによる損傷を回避するため、ケーシング３４の照射面３６側に鉛板などを配設しておくことが望ましい。
【００３５】
放射線画像検出器２１は、放射線画像の記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。また、放射線画像信号の読出方式としては、ＴＦＴ（thin film transistor）スイッチがオン・オフされることによって放射線画像信号が読みだされる、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００３６】
図３は、コンソール１０、放射線検出カセッテ２０および放射線源３０からなる放射線画像撮影システムの内部構成を示すブロック図である。
【００３７】
放射線源３０は、コンソール１０から出力された撮影条件に基づく制御信号や撮影開始指示の制御信号に応じて、所定の線量の放射線を患者５１に向けて射出するものである。
【００３８】
放射線検出カセッテ２０には、上述したように放射線画像検出器２１、バッテリ４４、カセッテ制御部４６、カセッテ送受信機４８が収容されている。
【００３９】
カセッテ制御部４６は、放射線画像検出器２１から読み取られた放射線画像信号を記憶する画像メモリ２２と、放射線画像検出器２１、画像メモリ２２およびカセッテ送受信機４８の動作を制御する制御部２３とを備えている。
【００４０】
制御部２３は、放射線画像検出器２１および画像メモリ２２からの放射線画像信号の読出しを制御するとともに、放射線画像検出器２１の動作状態など放射線検出カセッテ２０内の種々の情報をカセッテ送受信機４８を介してコンソール１０に出力したり、放射線検出カセッテ２０に対する種々の制御信号をカセッテ送受信機４８を介してコンソール１０から受信するものである。
【００４１】
コンソール１０から放射線検出カセッテ２０に出力される制御信号としては、たとえば、カセッテレディ信号や、撮影開始信号や撮影終了信号などがある。カセッテレディ信号とは、撮影待機モードに移行したときに放射線画像検出器２１に不要な電荷が溜まらないように常時リセットを行うよう制御する信号である。また、撮影開始信号は、放射線画像検出器２１が電荷蓄積モードとなるように制御する信号であり、撮影終了信号は、放射線画像検出器２１が電荷蓄積モードから電荷信号読出モードとなるように制御する信号である。
【００４２】
コンソール１０は、放射線検出カセッテ２０および放射線源３０に対して、放射線画像信号を含む必要な情報を無線通信により送受信するコンソール送受信機１８と、放射線撮影に必要な撮影条件を管理する撮影条件管理部１１と、撮影対象である患者５１の患者情報を管理する患者情報管理部１２と、放射線検出カセッテ２０から送信された放射線画像信号に対して画像処理を施す画像処理部１３と、画像処理の施された放射線画像信号を保存する放射線画像保存部１４と、放射線検出カセッテ２０に対して種々の制御信号を出力するとともに、放射線検出カセッテ２０から放射線画像検出器２１の動作状態など種々の情報を受け付ける制御部１５と、撮影条件や患者情報や放射線検出カセッテ２０から出力された放射線画像信号などの放射線検査情報を表示する表示部１６と、撮影条件や撮影対象の患者情報などを含む撮影オーダー情報などの入力を受け付ける入力部１７とを備えている。
【００４３】
コンソール１０の制御部１５には、図３に示すように、コンソール１０の設置位置を特定可能な設置位置情報を取得する設置位置情報取得部１５ａと、設置位置情報取得部１５ａにより取得された設置位置情報によって特定される設置位置が、予め設定された設置位置以外の位置である場合に、コンソール１０の一部の機能を制限する機能制限部１５ｂとを備えている。
【００４４】
本実施形態における設置位置情報取得部１５ａは、コンソール送受信機１８を介して病室以外の放射線撮影室や撮影準備室になどに配置された管理者登録サーバー４０と無線通信を行うものであり、その無線通信の通信状態を設置位置情報として取得して機能制限部１５ｂに出力するものである。
【００４５】
機能制限部１５ｂは、設置位置情報取得部１５ａから出力されたコンソール１０と管理者登録サーバー４０との通信状態に基づいて、コンソール１０が放射線撮影室または撮影準備室以外の位置にあるか否かを判定し、放射線撮影室または撮影準備室以外の位置にある場合には、コンソール１０の表示部１６に表示される放射線検査情報の一部の表示を制限するものである。なお、コンソール１０が放射線撮影室または撮影準備室以外の位置にあるか否かの判定方法と表示が制限される放射線検査情報については、後で詳述する。
【００４６】
図３に示す管理者登録サーバー４０は、通常、放射線撮影室または撮影準備室に設置されるものであり、コンソール１０の使用を許可された管理者の情報が予め設定されたものである。そして、コンソール１０の設置位置情報取得部１５ａから出力されたコンソール１０の操作者情報を含む応答要求信号を受信し、その応答要求信号に含まれる操作者が予め管理者として登録されているか否かを確認し、その結果を含む返信信号をコンソール１０の設置位置情報取得部１５ａに送信するものである。
【００４７】
次に、本実施形態の放射線画像撮影システムの動作について、図４に示すフローチャートを参照しながら説明する。
【００４８】
まず、回診時や放射線撮影時などにおいて、医師または放射線技師など（以下、操作者という）によってコンソール１０が病室または放射線撮影室などの所定位置に設置され、その設置位置の検出が行われる（Ｓ１０）。ここで、コンソール１０の設置位置の検出について、図５に示すフローチャートを参照しながら詳細に説明する。
【００４９】
まず、図５に示すように、操作者によってコンソール１０の入力部１７を用いて操作者情報が入力され、その入力された操作者情報は、コンソール１０のコンソール送受信機１８を介して放射線撮影室または撮影準備室に設置された管理者登録サーバー４０に応答要求信号として出力される（Ｓ４０）。
【００５０】
そして、コンソール１０から出力された操作者情報を含む応答要求信号は、管理者登録サーバー４０によって受信され、管理者登録サーバー４０は、入力された応答要求信号に含まれる操作者が、予め設定された管理者であるか否かが確認される。そして、管理者登録サーバー４０は、入力された操作者が予め設定された管理者であるか否かの結果を含む返信信号をコンソール１０に向けて送信する（Ｓ４２）。
【００５１】
そして、管理者登録サーバー４０から出力された返信信号は、コンソール１０のコンソール送受信機１８を介して設置位置情報取得部１５ａによって受信される。そして、設置位置情報取得部１５ａは、管理者登録サーバー４０との通信状態が所定の条件を満たしているか否かを確認するが、具体的には、本実施形態においては、受信した返信信号の強度が所定値以上であるか否かを確認する（Ｓ４４）。
【００５２】
そして、設置位置情報取得部１５ａは、受信した返信信号の強度が所定値以上である場合には、コンソール１０が放射線撮影室または撮影準備室に配置されていると判定し（Ｓ４６）、返信信号の強度が所定値よりも小さい場合には、コンソール１０が放射線撮影室または撮影準備室以外の回診現場に設置されていると判定する（Ｓ４８）。
【００５３】
そして、設置位置情報取得部１５ａの判定結果は機能制限部１５ｂに出力され、機能制限部１５ｂは、コンソール１０が放射線撮影室または撮影準備室に配置されていると判定された場合には、機能制限フラグをリセットし、コンソール１０が放射線撮影室または撮影準備室以外の回診現場に配置されていると判定された場合には、機能制限フラグをセットする。この機能制限フラグがセットされた場合には、コンソール１０の表示部１６に表示される放射線検査情報の一部の表示が制限されるが、その詳細は後で述べる。
【００５４】
なお、本実施形態においては、返信信号の強度を用いてコンソール１０と管理者登録サーバー４０との通信状態が所定の条件を満たしているか否か確認するようにしたが、これに限らず、たとえば、通信品質が所定の条件を満たしているか否かを確認するようにしてもよい。具体的には、たとえば、返信信号のビットエラーレートを取得し、その値が、所定値以内である場合には、コンソール１０が放射線撮影室または撮影準備室に配置されていると判定し、所定値より大きい場合には、コンソール１０が放射線撮影室または撮影準備室以外の回診現場に配置されていると判定するようにしてもよい。
【００５５】
また、コンソール１０は、管理者登録サーバー４０からの返信信号が、コンソール１０から出力された操作者情報が予め管理者登録サーバー４０に設定された者ではないことを示す信号である場合には、コンソール１０で操作指示の受け付けを行わないようにする。
【００５６】
図４のフローチャートに戻り、上述したような設置位置の検出が行われた後、患者と撮影台との間の所定位置に、照射面３６を放射線源３０側とした状態で放射線検出カセッテ２０が設置され、患者のポジショニングが行われる（Ｓ１２）。
【００５７】
次に、操作者によってコンソール１０の入力部１７を用いて撮影対象の患者情報と撮影オーダー情報とが入力され、患者情報については患者情報管理部１２に登録され、撮影オーダー情報については撮影条件管理部１１に登録される（Ｓ１４，Ｓ１６）。患者情報としては、たとえば、患者の年齢、性別、病名、病歴、患者に使用されている薬剤名、患者のアレルギー情報、妊娠情報、患者の顔写真や皮膚病などの患部の写真などがあるが、これらの全てを入力する必要はなく、一部は予め患者情報管理部１２に予め設定しておくようにしてもよい。また、撮影オーダー情報としては、たとえば、撮影手技や、患者の撮影部位に対して適切な線量の放射線を照射するための管電圧、管電流、照射時間などがある。なお、撮影オーダー情報としてはこれらに限らず、放射線の撮影を行う際に必要な情報であれば如何なる条件を含めるようにしてもよい。
【００５８】
そして、操作者によってコンソール１０の入力部１７を用いてポジショニング確認撮影の開始指示が入力され、この入力に応じて放射線源３０から所定の線量の放射線が射出され、本撮影前のポジショニング確認用画像の撮影が行われる（Ｓ１８）。
【００５９】
具体的には、操作者によって入力された撮影条件に基づいて放射線源３０が制御され、撮影条件に応じた所定の線量の放射線が患者に照射される。
【００６０】
患者を透過した放射線は、放射線検出カセッテ２０のグリッド３８によって散乱線が除去された後、放射線画像検出器２１に照射され、放射線画像検出器２１によって光電変換されて電荷信号として蓄積される。
【００６１】
そして、上記のようにして放射線Ｘの照射が終了した後、放射線画像検出器２１に蓄積された電荷信号は制御部２３によって読み出され、サンプルホールド回路によってサンプリングされた後、Ａ／Ｄ変換器によってデジタル信号に変換され、画像メモリ２２に一旦記憶される。なお、このときポジショニング確認用画像信号については、低解像度な画像信号で良いので、たとえば、ビニング読出しなどが行われる。
【００６２】
そして、制御部２３は、画像メモリ２２に送信に必要な単位の放射線画像信号が記憶されると、画像メモリ２２からその送信単位の放射線画像信号を順次読出し、これをカセッテ送受信機４８に出力する。
【００６３】
そして、カセッテ送受信機４８は、入力された放射線画像信号を変調した後、無線通信信号としてコンソール１０に送信する。
【００６４】
そして、コンソール１０に送信された変調信号は、コンソール１０のコンソール送受信機９６において放射線画像信号として復調され、その放射線画像信号は、画像処理部１３において所定の画像処理が施された後、撮影条件や患者情報とともに表示部１６に出力されることになるが、このとき、機能制限部１５ｂが、機能制限フラグがセットされているか否かを確認する。すなわち、コンソール１０が、回診現場に設置されているのか、もしくは放射線撮影室または撮影準備室に設置されているのかが判定される（Ｓ２０）。
【００６５】
そして、機能制限部１５ｂによってコンソール１０が、図１に示すような回診現場に設置されていると判定された場合には、機能制限部１５ｂは、表示部１６に表示される放射線検査情報の一部の表示を制限する（Ｓ２２）。
【００６６】
このように表示制限を行うのは、たとえば図１に示すような回診現場においては、操作者が、コンソール１０と患者との間を行ったり来たりする必要があり、そのときコンソール１０の画面の前からいなくなることがある。
【００６７】
このような場合、図１に示すように、たとえば、隣の患者５２を見舞いにきた見舞客５３やその他の医療従事者以外の者などがコンソール１０の近くを通りすぎる可能性があり、このときにコンソール１０に表示された患者５１の放射線検査情報が覗き見されてしまうおそれがある。そのため、このような覗き見によって患者の個人情報が漏洩しないように、本実施形態のコンソール１０においては表示制限を行う。
【００６８】
具体的には、本実施形態においては、低解像度なポジショニング確認用画像については重度な個人情報の漏洩とはならないため、また、撮影条件については操作者が本撮影の際に必要となる情報なので制限をかけることなく表示部１６に表示させるが、重度な個人情報の漏洩となる患者情報については表示部１６に表示しないように制限する。
【００６９】
図６は、たとえば、上述したような表示の制限をすることなく全ての放射線検査情報を表示した状態の画面示しており、これに対し、図７は、上述したような患者情報の表示制限をした場合の画面を示している。ウインドウ画面Ｗ１に表示されているのがポジショング確認用画像と撮影条件であり、ウインドウ画面Ｗ２に表示されているのが患者情報である。なお、患者情報の表示を制限する方法としては、図７に示すようにウインドウ画面Ｗ２を非表示とするようにしてもよいし、図８に示すようにウインドウ画面Ｗ１を大きくしてウインドウ画面Ｗ２を覆い隠すようにしてもよい。
【００７０】
そして、上述したように表示部１６に表示されたポジショニング確認用画像と撮影条件とが操作者によって確認され、必要に応じて撮影条件や患者のポジショニングが変更された後、本撮影が行われる（Ｓ２４）。
【００７１】
具体的には、操作者によってコンソール１０の入力部１７を用いて本撮影の開始指示が入力され、この入力に応じて撮影条件に基づいて放射線源３０が制御され、撮影条件に応じた所定の線量の放射線が患者に照射される。
【００７２】
患者を透過した放射線は、放射線検出カセッテ２０のグリッド３８によって散乱線が除去された後、放射線画像検出器２１に照射され、放射線画像検出器２１によって光電変換されて電荷信号として蓄積される。
【００７３】
そして、上記のようにして放射線Ｘの照射が終了した後、放射線画像検出器２１に蓄積された電荷信号は制御部２３によって読み出され、サンプルホールド回路によってサンプリングされた後、Ａ／Ｄ変換器によってデジタル信号に変換され、画像メモリ２２に一旦記憶される。
【００７４】
そして、制御部２３は、画像メモリ２２に送信に必要な単位の放射線画像信号が記憶されると、画像メモリ２２からその送信単位の放射線画像信号を順次読出し、これをカセッテ送受信機４８に出力する。
【００７５】
そして、カセッテ送受信機４８は、入力された放射線画像信号を変調した後、無線通信信号としてコンソール１０に送信する。
【００７６】
そして、コンソール１０に送信された変調信号は、コンソール１０のコンソール送受信機９６において放射線画像信号として復調され、その放射線画像信号は、画像処理部１３において所定の画像処理が施された後、患者情報管理部１２に登録されている患者５１の患者情報と関連付けられた状態で放射線画像保存部１４に保存される（Ｓ２６）。
【００７７】
次いで、上記のようにして放射線画像保存部１４に保存された本撮影の読影用画像信号は、制御部１５によって読み出され、患者情報や撮影条件とともに表示部１６に出力されるが、このとき、上述したように機能制限部１５ｂにおいて機能制限フラグがセットされているので、機能制限部１５ｂによって、表示部１６に表示される放射線検査情報の一部の表示が制限される（Ｓ２８）。
【００７８】
具体的には、本実施形態においては、読影用の放射線画像については、病気の内容などが把握できることになり個人情報の漏洩となるため表示しないように制限される。また、撮影条件については、操作者が次の撮影の際に必要となる情報なので制限をかけることなく表示部１６に表示させるが、重度な個人情報の漏洩となる患者情報については、上述したように表示部１６に表示しないように制限する。
【００７９】
一方、Ｓ２０において、機能制限部１５ｂによって、機能制限フラグがリセットされていることが確認された場合には、すなわち、コンソール１０が、放射線撮影室または撮影準備室に設置されていると判定された場合には、ポジショニング確認用画像の撮影が行われた後、コンソール１０の表示部１６には、図６に示すような全ての放射線検査情報が表示される（Ｓ３０）。
【００８０】
そして、その後、上記と同様に、本撮影が行われて読影用の放射線画像信号がコンソール１０の放射線画像保存部１４に保存される（Ｓ３４）そして、読影用の放射線画像信号は、制御部１５によって読み出され、患者情報や撮影条件とともに表示部１６に出力されるが、このときは上述したように機能制限部１５ｂにおいて機能制限フラグがリセットされているので、機能制限部１５ｂによる表示制限は行われず、読影用の放射線画像も撮影条件や患者情報とともに表示部１６に表示される（Ｓ３６）。
【００８１】
なお、上記実施形態において、上述したような表示制限が行われた際、操作者によって周りに人がいないことが確認された場合には、操作者がコンソール１０の入力部１７から解除指示を入力し、その解除指示に応じて表示制限を解除するようにしてもよい。なお、上述した解除指示の入力については、たとえば、ＩＤカードやパスワード入力や、その他生体認証などの認証作業が行われた場合にのみ行えるようにすることが望ましい。
【００８２】
また、上記実施形態においては、読影用の放射線画像や患者情報について表示を制限するようにしたが、表示制限される内容については、これに限らず、任意に予め設定可能なものであるとする。
【００８３】
たとえば、放射線画像の表示については、最も直近に撮影した放射線画像のみの表示を許可し、それよりも過去に撮影された放射線画像については表示を制限するようにしてもよい。最も直近に撮影した放射線画像はポジショニング確認用の画像であるので表示するが、過去の放射線画像については、むやみに表示して個人情報が漏洩してしまうのを予防するためである。なお、過去に撮影された放射線画像は、たとえば、コンソール１０の放射線画像保存部１４やコンソール１０にネットワークを介して接続されるサーバー上などに保存されるものである。また、過去の放射線画像についても、たとえば、過去の撮影におけるポジショニングを確認したい場合には低解像度なもので十分であるので、低解像度に変換することによって表示するようにしてもよい。
【００８４】
また、上記実施形態においては、機能制限部１５ｂにおいて機能制限フラグがセットされている場合、放射線検査情報の表示を制限するようにしたが、放射線検査情報の表示に限らず、たとえば、コンソール１０の患者情報管理部１２に登録されている患者情報の書き換えを制限するようにしてもよい。なお、実際に放射線画像の撮影を行った後に取得される撮影実施情報も患者情報とともに登録する場合には、患者情報の書き換えについては、上述したように書き換えを制限するが、撮影実施情報については書き換え可能としてもよい。撮影実施情報としては、たとえば、放射線画像の撮影を行った際の管電圧や、ｍＡｓ値や、設定ＳＩＤ、放射線画像の撮影枚数、放射線の曝射時間などがある。設定ＳＩＤとは、放射線画像の撮影の際の放射線源３０と放射線画像検出器２０との距離である。管電圧や、ｍＡｓ値などは、たとえば、ＡＥＣ（Auto Exposure Control）を行う場合などに取得されるものである。
【００８５】
また、ＡＥＣの被曝結果から患者の被曝量を推測することも可能であり、この被曝量についても放射線検査情報として患者情報や放射線画像と関連付けられて記憶される場合がある。そして、このような場合、たとえば、コンソール１０においてこの被曝量の累積値などを表示させる場合には、第三者には見られたくない情報なので、回診現場などでは表示を制限するようにしてもよい。そして、放射線撮影室においては、回診現場に向かう前に撮影条件を予め決める際に被曝量の累積値が必要となるので、表示を制限することなく表示させるようにしてもよい。
【００８６】
また、上記実施形態においては、放射線撮影室や撮影準備室に配置された管理者登録サーバー４０を、コンソール１０が設置位置情報を取得するためのアクセスポイントとしたが、アクセスポイントとしてはこれに限らず、たとえば、病院内のＬＡＮ（Local Area Network）に接続され、放射線撮影室、撮影準備室、廊下または各病室などに設けるようにしてもよい。そして、たとえば、各アクセスポイントに対しＩＤ情報を付与しておき、コンソール１０と最も通信状態のよいアクセスポイントのＩＤ情報を動的に選択することによって設置位置情報として取得するようにしてもよい。
【００８７】
また、上記実施形態においては、コンソール１０とアクセスポイントである管理者登録サーバー４０との間の通信状態に基づいて、コンソール１０の設置位置情報を取得するようにしたが、設置位置情報としてはこれに限らず、たとえば、コンソール１０と無線通信が可能な放射線検出カセッテの数を設置位置情報として用いるようにしてもよい。
【００８８】
すなわち、たとえば、放射線撮影室や撮影準備室には、図９に示すように、クレードルなどに複数の放射線検出カセッテ２０ａ〜２０ｃが設置されていることが多く、コンソール１０が放射線撮影室や撮影準備室に設置されている場合には、これらの複数の放射線検出カセッテ２０ａ〜２０ｃと無線通信を行うことが可能である。一方、コンソール１０が、回診撮影の際に病室などに設置されている場合には、そのコンソール１０と無線通信可能な放射線検出カセッテは、回診撮影に用いられる１つの放射線検出カセッテのみである。
【００８９】
このような状況を利用して、コンソール１０と無線通信可能な放射線検出カセッテの数を設置位置情報として取得し、その数が１である場合にはコンソール１０が放射線撮影室または撮影準備室以外の病室などに設置されていると判定し、その数が複数である場合には、コンソール１０が放射線撮影室または撮影準備室などに設置されていると判定するようにしてもよい。なお、このような方法を用いる場合、コンソール１０と放射線検出カセッテとの間の無線通信可能な距離には、設置位置を判定できる程度の限界があるものとする。
【００９０】
また、上述したように、コンソール１０と無線通信可能な放射線検出カセッテの数を設置位置情報として用いるのではなく、放射線検出カセッテの種類の情報を取得し、その種類の情報を設置位置情報として用いるようにしてもよい。たとえば、放射線検出カセッテがビルトインに設置されるものである場合には、その情報を設置位置情報として取得し、コンソール１０が放射線撮影室に設置されていると判定したり、また、放射線検出カセッテが回診撮影専用のものである場合には、その情報を設置位置情報として取得し、コンソール１０が放射線撮影室以外の病室などに設置されていると判定するようにしてもよい。
【００９１】
放射線検出カセッテの種類については、放射線検出カセッテに予め設定しておき、それをコンソール１０が無線通信を介して取得するようにしてもよいし、コンソール１０において操作者などが入力部１７を用いて入力するようにしてもよい。また、回診撮影用の放射線カセッテについては特定のＩＤが付与されることがあるが、そのＩＤを放射線検出カセッテの種類の情報として取得するようにしてもよい。
【００９２】
また、コンソール１０に、図１０に示すように、コンソール１０の位置を検出する位置検出部１９を設け、その位置検出部１９によって検出された位置情報を設置位置情報として取得するようにしてもよい。位置検出部１９は、たとえば、上述したアクセスポイントと通信を行うことによってコンソール１０の位置を検出するようにしてもよいし、ＧＰＳなどの公知の位置検出システムを利用してもよい。
【００９３】
また、位置検出部１９における位置検出は、必ずしも常時行う必要はなく、図１０に示す移動距離計測部２５によって計測された移動距離が所定値以上になったときに行うようにすることが望ましい。移動距離計測部２５としては、たとえば、加速度センサやコンソール１０の台車１０ｄの回転を検出するロータリーエンコーダなどを用いることができる。また、コンソール１０がバッテリによって駆動するものであり、台車１０ｄを電動で動かすものである場合には、そのバッテリの残量をモニタすることによって移動距離を計測するようにしてもよい。
【００９４】
また、たとえば、放射線撮影室や撮影準備室やナースステーションにおいて、ワイヤーなどに繋がれて盗難されないように設置されたＩＤカードやＲＦＩＤカードをコンソール１０に差し込んだり、照合したりすることによって、そのカードに記録されたＩＤ情報を読出し、そのＩＤ情報を設置位置情報として取得することによってコンソール１０が放射線撮影室等に設置されていることを判定するようにしてもよい。この場合、ＩＤ情報と設置位置との関係はコンソール１０に予め設定されているものとする。そして、ＩＤカードの場合には、ＩＤカードがコンソール１０から取り外されたことを認識することによって放射線撮影室など以外の位置に設置されると判定し、機能の一部を制限するようにし、ＲＦＩＤカードの場合には、ＩＤ情報を照合した時点からのコンソール１０の移動距離が所定値以上になったときに放射線撮影室など以外の位置に設置されると判定し、機能の一部を制限するようにすればよい。
【符号の説明】
【００９５】
１０   コンソール
１０ａ 装置本体
１０ｂ 支柱
１０ｃ アーム部
１０ｄ 台車
１５   制御部
１５ａ 設置位置情報取得部
１５ｂ 機能制限部
１６   表示部
１７   入力部
１８   位置検出部
１９   移動距離計測部
２０   放射線検出カセッテ
２１   放射線画像検出器
２２   画像メモリ
２３   制御部
３０   放射線源
４０   管理者登録サーバー
【図１】
0005570912.tif 000002
【図２】
0005570912.tif 000003
【図３】
0005570912.tif 000004
【図４】
0005570912.tif 000005
【図５】
0005570912.tif 000006
【図６】
0005570912.tif 000007
【図７】
0005570912.tif 000008
【図９】
0005570912.tif 000009
【図１０】
0005570912.tif 000010
【図８】
0005570912.tif 000011